(57)【特許請求の範囲】
【請求項１】
体温測定を行うための構成部品が収容され、測温部を含む金属キャップが先端部に取り付けられた筺体と、該筺体の尾部に着脱可能に取り付けられる筺体キャップとを備える電子体温計であって、
前記筺体の表面には、
前記電子体温計が平らな面に載置された場合に、該電子体温計を支持する平面である支持面が形成されており、
前記支持面は、
前記電子体温計が平らな面に載置された場合に、該平らな面と接触する金属キャップ上の接触点が前記支持面の接線上に位置するように、前記電子体温計の長手方向に、所定の傾きを有しており、かつ、前記電子体温計の幅に対応した幅を有していることを特徴とする電子体温計。
【請求項２】
前記筺体の所定の面上には、前記体温測定の結果を表示する表示部が配されており、前記支持面は、該表示部が配された面と反対側の面に形成されていることを特徴とする請求項１に記載の電子体温計。
【発明の詳細な説明】
【技術分野】
【０００１】
本発明は、被検者の体温を測定する電子体温計に関するものである。特に被検者の腋下の体温を測定する電子体温計に関するものである。
【背景技術】
【０００２】
従来より、被検者の体温を測定する電子体温計として、サーミスタを用いて温度計測値を取得する電子体温計が知られている。電子体温計は、一般的にプラスチックのような樹脂の筐体と、その尾部に取り付けられる筐体キャップで構成され、筐体の先端部に温度検出部を形成している（特許文献１）。
【０００３】
従来の棒状の電子体温計の形の一例として、図１に示されたようなものがある。電子体温計１００は、その先端に配置され、被検者に接触する、サーミスタを内蔵する金属製キャップ１０２と、電子体温計１００の尾部に配置される筐体キャップ１０３と、電子体温計１００の本体を形成する筐体１０４とで構成される。測定結果は表示部１０１に表示される。このような従来の電子体温計は、消費者のニーズにこたえるため、測定の正確性、使い勝手の良さなどの性能面だけでなく、電子体温計の外観に関するデザイン面においても様々な改良が行われている。例えば、図１の電子体温計１００のシンプルな四角いデザインとは異なる、滑らかな曲線輪郭を持つようなものなど、多様なデザインの電子体温計が提供されている。
【先行技術文献】
【特許文献】
【０００４】
【特許文献１】特開平０５−１９６５０８号公報
【発明の概要】
【発明が解決しようとする課題】
【０００５】
しかし、電子体温計の外観デザインを丸くすると、テーブル等の上に置いた場合、安定せず転がったり揺らぐ恐れがある。そのような不意な動きによってテーブルから落下し、故障の原因となり得、又は元の場所から移動してしまい、ユーザにとって不便を感じる原因となり得る。
【０００６】
本発明は上記課題に鑑みてなされたものであり、電子体温計のデザインにかかわらず、テーブル等の平面の上に置かれた際に横転又は揺らぎの心配のない安定した電子体温計を提供することを目的とする。
【課題を解決するための手段】
【０００７】
上記の目的を達成するために、本発明に係る電子体温計は以下のような構成を備える。即ち、
体温測定を行うための構成部品が収容され、測温部を含む金属キャップが先端部に取り付けられた筺体と、該筺体の尾部に着脱可能に取り付けられる筺体キャップとを備える電子体温計であって、
前記筺体の表面には、
前記電子体温計が平らな面に載置された場合に、該電子体温計を支持する平面である支持面が形成されており、
前記支持面は、
前記電子体温計が平らな面に載置された場合に、該平らな面と接触する金属キャップ上の接触点が前記支持面の接線上に位置するように、前記電子体温計の長手方向に、所定の傾きを有しており、かつ、前記電子体温計の幅に対応した幅を有していることを特徴とする。
【発明の効果】
【０００８】
本発明によれば、電子体温計のデザインにかかわらず、テーブル等の平面の上に置かれた際に横転又は揺らぎの心配のない安定した電子体温計を提供することが可能となる。
【図面の簡単な説明】
【０００９】
【図１】従来の電子体温計１００を示す図である。
【図２】第１の実施形態による電子体温計３００の正面図（Ａ）、側面図（Ｂ）、背面図（Ｃ）、及び平面図（Ｄ）である。
【図３】第１の実施形態による電子体温計３００の筐体キャップ３０３と、筐体３０４とを示す正面図（Ａ）と、筐体キャップ３０３の挿入部３０３ａが部分的に筐体３０４に挿入された状態を示す正面図（Ｂ）と、筐体キャップ３０３の挿入部３０３ａが完全に筐体３０４に挿入された状態を示す正面図（Ｃ）である。
【図４】第１の実施形態による電子体温計３００の筐体キャップ３０３と、筐体３０４とを示す側面図（Ａ）と、筐体キャップ３０３の挿入部３０３ａが部分的に筐体３０４に挿入された状態を示す側面図（Ｂ）と、筐体キャップ３０３の挿入部３０３ａが完全に筐体３０４に挿入された状態を示す側面図（Ｃ）である。
【図５】第１の実施形態による電子体温計３００が平らな表面に置かれた状態を示す図（Ａ）と、電子体温計３００の背面にある、平らな表面と接する面積を灰色で示す図（Ｂ）である。
【発明を実施するための形態】
【００１０】
以下、本発明の一実施形態について図面を参照しながら説明する。
【００１１】
＜１．電子体温計の外観＞
図２は、本発明の一実施形態にかかる電子体温計の外観を示す図であり、（Ａ）は正面図、（Ｂ）は側面図、（Ｃ）は背面図、そして（Ｄ）は平面図である。
【００１２】
図２に示されているように、電子体温計３００は従来の電子体温計１００に比べ全体的に滑らかな曲線で構成されている。そして、筐体キャップ３０３と筐体３０４も、そのデザインモチーフに従って全て曲線で構成されており、２つの部品が接する境目である接線３１０も滑らかな曲線を描いている。筐体キャップ３０３は、耐衝撃性の熱可塑性樹脂、例えばハイインパクト・スチロール樹脂で形成されている。筐体３０４は、耐衝撃性の熱可塑性樹脂、例えばブチレン、スチレン樹脂で形成されている。
【００１３】
図２（Ｂ）及び（Ｄ）に示されているように、電子体温計３００の側面は窪み３１０ａを持つ形状に形成されており、ユーザが電子体温計３００を掴んだとき、指先に心地よくフィットするような形をしている。このような形状をすることによって、電子体温計３００が掴みやすくなり、持ち運びが容易になり、サーミスタなどの測温部を内蔵した金属キャップ３０２の腋下への装着が容易になる。
【００１４】
図２（Ｃ）に示された電子体温計３００の背面には、電子体温計３００をテーブル等の平らな表面に置いたときにその表面と接し、電子体温計３００を安定させる突出部３０５及びほぼ半円形状の平面部３０６が設けられている。後で説明するように、突出部３０５及び平面部３０６は、曲線の輪郭を持つ電子体温計３００を安定させ、横転などの不意な動きを防ぐ。
【００１５】
＜２．キャップと筐体の嵌合＞
次に、電子体温計３００の筐体キャップ３０３と筐体３０４との嵌合について説明する。図３（Ａ）は、本実施形態にかかる電子体温計３００の、筐体キャップ３０３と筐体３０４とを示す正面図である。
【００１６】
筐体キャップ３０３は、筐体３０４の内部に挿入される挿入部３０３ａと、その挿入方向の先端に弾性のパッキング３０３ｂを装着する溝（不図示）を備えている。パッキング３０３ｂが装着された状態で挿入部３０３ａが一対の突起部３０３ｃの案内で筐体３０４の内部に挿入されると、パッキング３０３ｂは挿入部３０３ａと筐体３０４の内壁との間に挟まれて変形し、挿入部３０３ａと筐体３０４の内壁との間に存在する隙間を埋めることによって電子体温計３００を液密状態に保つ。
【００１７】
筐体３０４には、筐体キャップ３０３の挿入部３０３ａが挿入される挿入口と、その挿入口から筐体の先端部に向って形成された案内部３０４ａ及び嵌合部３０４ｂとを備える。図３（Ｂ）から明らかであるように、案内部３０４ａは、嵌合部３０４ｂより広く設計されており、挿入部３０３ａ及びパッキング３０３ｂの外周よりも一回り広くなっている。つまり、挿入部３０３ａは案内部３０４ａでは筐体３０４に対して嵌合されない。案内部３０４ａは、挿入部３０３ａとパッキング３０３ｂが筐体３０４に対して嵌合される嵌合部３０４ｂにまで挿入部３０３ａを案内する。その後、案内部３０４ａと嵌合部３０４ｂとの間にある段差においてパッキング３０３ｂの全体が筐体３０４の内壁に初めて接触することになる。
【００１８】
嵌合部３０４ｂは、挿入部３０３ａを収容できる最小限の内周長、つまり挿入部３０３ａの外周長とほぼ同じ大きさを持っている。又、図３（Ｃ）に示されているように、嵌合部３０４ｂはパッキング３０３ｂの外周長よりは小さくなっているため、挿入部３０３ａが完全に挿入されるとパッキング３０３ｂを圧縮し、変形させ、挿入部３０３ａと嵌合部３０４ｂとの間にあるわずかな隙間を完全に塞いで液密状態に密閉する。この段差においてパッキング３０３ｂの全体が一斉に圧縮されるため、均一な圧力がパッキング３０３ｂにかかり、容易に液密状態が得られるようになる。
【００１９】
このように、内周長の異なる案内部３０４ａと嵌合部３０４ｂとを筐体３０４の挿入口の内部に設けることによって、挿入部３０３ａを筐体３０４に挿入しても案内部３０４ａにおいては嵌合されなくなり、パッキング３０３ｂの全体は案内部３０４ａと嵌合部３０４ｂとの段差で初めて側壁に接触するようになる。そしてこの段差は筐体３０４の挿入口から挿入方向に向って内部に位置するため、筐体３０４と筐体キャップ３０３が接触する接線の形にかかわらず、均一な圧力をパッキング３０３ｂにかけることを可能とする。
【００２０】
図４は、電子体温計３００の筐体キャップ３０３と、筐体３０４とを示す側面図である。図３同様、挿入部３０３ａが案内部３０４ａによって段差まで案内され、パッキング３０３ｂが案内部３０４ａと嵌合部３０４ｂとの段差において一気に圧縮され、嵌合部３０４ｂにおいてキャップ３０３が筐体３０４に液密状態に嵌合される様子が示されている。このように、パッキング３０３ｂはその全体が筐体３０４の嵌合部３０４ｂに密着し、液密状態を保つ。
【００２１】
＜３．平らな表面上に置かれた電子体温計＞
次に、本実施形態にかかる電子体温計３００を、テーブル等の平らな表面上に置いた場合について説明する。
【００２２】
電子体温計３００はその輪郭が全て滑らかな曲線で構成されているため、テーブル等の上に置いた場合、安定せず転がったり揺らぐ恐れがある。そのような不意な動きによってテーブルから落下し、故障の原因となり得、又は元の場所から移動してしまい、ユーザにとって不便を感じる原因となり得る。
【００２３】
そのような不意な動きを防ぎ、電子体温計を安定させるために、電子体温計３００の背面には、突出部３０５と、幅６ｍｍ高さ６ｍｍ程度のほぼ半円状の平面部３０６とが、電子体温計３００の幅方向の中心位置に設けられている。図５は、本実施形態による電子体温計３００が平らな表面に置かれた状態を示す図である。図５（Ａ）に示されているように、電子体温計３００がテーブル等の平な表面に置かれると、突起部３０５は電子体温計３００の筐体３０４の前方に設けられ、平面部３０６は筐体３０４の後方に設けられているため、その背面の３か所で平らな表面と接触するようになる。
【００２４】
突出部３０５は、電子体温計３００の先端の方に形成されたくびれによって発生する平面と電子体温計との間の隙間を埋め、１つの接触点を提供する。平面部３０６は、電子体温計３００の丸まった背面を平坦に削ったような表面であり、電子体温計３００が平らな表面に置かれるとその表面に接面するようになっている。
【００２５】
図５（Ｂ）に示されているように、電子体温計３００が平らな表面に置かれた場合は、最も先端部にある金属キャップ３０２、突出部３０５、及び平面部３０６の３つの部位（灰色）で表面と接することになる。表面との接点は３点以上になるため、安定した状態を保つことができ、揺らぎや転がり等、不意な動きを効果的に防ぐことが可能となる。また、平面部の面積は、電子体温計３００を安定できる最小限の面積となっているため、体温計３００の全体的な曲線デザインを大きく変化させることなく、望ましい効果が得られるようになっている。
【００２６】
以上の説明から明らかなように、本実施形態では、電子体温計３００の背面に、突出部３０５と平面部３０６とを設けた。
【００２７】
この結果、電子体温計３００のデザインにかかわらず、テーブル等の平面の上に置かれた際に横転又は揺らぎの心配のない安定した電子体温計を提供することが可能となった。
【００２８】
電子体温計３００の接線３１０のデザインにかかわらず、パッキング３０３ｂに均一な圧力がかかるようにし、電子体温計３００において容易に液密状態が得られるようにすることが可能となった。
【００２９】
＜４．他の実施形態＞
第１の実施形態では、筐体キャップと筐体との接線を曲線にしているが、本発明はこれに限らない。例えば、接線を三角形のように尖った形にデザインしても、パッキングは筐体の内部にある案内部と嵌合部との段差で初めて側壁と接触するようになるため、その手前の筐体の形がどんなものでもよい。したがって、複雑な接線をデザインしても、そのデザインにかかわらず均一にパッキングを圧縮することが可能である。接線をどのような形にするかは、電子体温計全体のデザインモチーフによって自由に選ぶことができる。
【００３０】
又、電子体温計を安定させる背面の構造は、平面部に限らず、様々な形が考えられる。例えば、平面部の代わりに、突出部を２つ設け、電子体温計の先端部にある金属キャップと共に三角形を描くように構成してもよい。この場合、３点以上が平らな表面と接することになるため、電子体温計を安定させることが可能となる。
【図１】
0005463148.tif 000002
【図２】
0005463148.tif 000003
【図３】
0005463148.tif 000004
【図４】
0005463148.tif 000005
【図５】
0005463148.tif 000006